(57)【特許請求の範囲】
【請求項１】
ケーシングで入口と弁室と出口を形成し、弁室の下部に弁室を出口側に連通する弁孔を有する弁座部材を設け、弁孔を開閉するフロートを弁室内に配置したものにおいて、弁座部材を球形に形成すると共に弁孔をＴ字状に形成しＴ字状の弁孔の長通路の一端をオリフィス通路に形成した球形弁座部材をケーシングに回転操作可能に配置し、入口と球形弁座部材を連通するバイパス通路をケーシングに形成し、球形弁座部材を外部から回転操作することによりＴ字状の弁孔の短通路から長通路の他端を通して弁室と出口側とを連通する第１状態とＴ字状の弁孔の長通路の他端から短通路を通してバイパス通路と出口側とを連通する第２状態とＴ字状の弁孔の短通路から長通路の一端のオリフィス通路を通してバイパス通路と出口側とを連通する第３状態に切り替えることができることを特徴とするフロート式スチームトラップ。
【発明の詳細な説明】
【技術分野】
【０００１】
本発明は、蒸気配管系で発生する復水をフロートの浮上降下により自動的に排出するフロート式スチームトラップに関し、特に、フロートにより開閉される弁孔の内面に付着した異物を洗浄できると共に、フロートが弁孔を開けることができなくなった場合に復水を排出し蒸気を漏出することのないスチームトラップ機能を維持できるものに関する。
【背景技術】
【０００２】
従来のフロート式トラップは、例えば特許文献１に開示されている。これは、ケーシングで入口と弁室と出口を形成し、弁室の下部に弁室を出口側に連通する弁孔を有する弁座部材を設け、弁孔を開閉するフロートを弁室内に配置し、弁孔内に外部から手動で進退操作可能な操作部材を配置して操作部材の進退により弁孔の内面に付着した異物を掃除するものである。
【先行技術文献】
【特許文献】
【０００３】
【特許文献１】実公昭４９−３６７４７号公報
【発明の概要】
【発明が解決しようとする課題】
【０００４】
上記従来のフロート式トラップは、手動により操作部材を進退せしめるものであるために、弁孔の内面に付着した異物を掃除するのに手間隙の掛かる問題点があった。また、フロートが弁孔を開けることができなくなると、復水を排出し蒸気を漏出することのないスチームトラップ機能を維持できなくなる問題点があった。
【０００５】
したがって本発明が解決しようとする課題は、簡単且つ確実に弁孔の内面に付着した異物を洗浄できると共に、フロートが弁孔を開けることができなくなった場合に復水を排出し蒸気を漏出することのないスチームトラップ機能を維持できるフロート式スチームトラップを提供することである。
【課題を解決するための手段】
【０００６】
上記の課題を解決するために、本発明のフロート式スチームトラップは、ケーシングで入口と弁室と出口を形成し、弁室の下部に弁室を出口側に連通する弁孔を有する弁座部材を設け、弁孔を開閉するフロートを弁室内に配置したものにおいて、弁座部材を球形に形成すると共に弁孔をＴ字状に形成しＴ字状の弁孔の長通路の一端をオリフィス通路に形成した球形弁座部材をケーシングに回転操作可能に配置し、入口と球形弁座部材を連通するバイパス通路をケーシングに形成し、球形弁座部材を外部から回転操作することによりＴ字状の弁孔の短通路から長通路の他端を通して弁室と出口側とを連通する第１状態とＴ字状の弁孔の長通路の他端から短通路を通してバイパス通路と出口側とを連通する第２状態とＴ字状の弁孔の短通路から長通路の一端のオリフィス通路を通してバイパス通路と出口側とを連通する第３状態に切り替えることができることを特徴とするものである。
【発明の効果】
【０００７】
本発明によれば、球形弁座部材を外部から回転操作してＴ字状の弁孔の長通路の他端から短通路を通してバイパス通路と出口側とを連通する第２状態とすることにより、入口側の高圧蒸気が高速でＴ字状の弁孔を長通路の他端から短通路へ流下して短通路の内面を逆洗するので、通常は弁孔の弁室側である短通路の内面に付着した異物を簡単に確実に洗浄できるという効果を奏する。また、球形弁座部材を外部から回転操作してＴ字状の弁孔の短通路から長通路の一端のオリフィス通路を通してバイパス通路と出口側とを連通する第３状態とすることにより、適宜径のオリフィスに形成したオリフィス通路を通してバイパス通路と出口側とを連通して復水を排出し蒸気を漏出することのないスチームトラップ機能を維持できるという効果を奏する。
【図面の簡単な説明】
【０００８】
【図１】本発明の実施の形態に係わるフロート式スチームトラップの断面図である。
【発明を実施するための形態】
【０００９】
以下、本発明の実施の形態について、図1を参照して説明する。本体１に蓋２をボルトで締結して内部に弁室３を有するケーシングを形成する。本体１は入口４と出口５を有すると共に入口４を下記の球形弁座部材７に連通するバイパス通路８と球形弁座部材７を出口５に連通する出口通路９を有する。入口４はバイパス通路８及び弁室３の上部に連通する。入口４と出口５は同一軸上に形成する。弁室３の下部にＴ字状の弁孔１０を開けた球形弁座部材７を配置する。球形弁座部材７は点線で示す弁軸１１を本体１から外部に貫通して連結することにより回転操作可能に取り付ける。Ｔ字状の弁孔１０は通常は弁室３側である短通路１０ａと、通常は出口５側である長通路の他端１０ｂと、適宜径のオリフィスに形成したオリフィス通路である長通路の一端１０ｃと、から形成される。
【００１０】
弁室５内に球形弁座部材７に離着座して弁孔１０の一端１０ａを開閉する中空球形のフロート１２を自由状態で配置する。フロート１２が弁孔１０の一端１０ａを閉じた位置で当接するフロート座１３をフロート１２の下方に設ける。
【００１１】
図示は球形弁座部材７により、Ｔ字状の弁孔１０の短通路１０ａから長通路の他端１０ｂを通して弁室３と出口通路９が連通され、バイパス通路８と出口通路９が遮断された第１状態を示している。図示の位置から弁軸１１を回転操作して球形弁座部材７を９０度時計回り方向へ回転させることにより、Ｔ字状の弁孔１０の長通路の他端１０ｂから短通路１０ａを通してバイパス通路８と出口通路９が連通され、Ｔ字状の弁孔１０の長通路の一端１０ｃから短通路１０ａを通して弁室３と出口通路９が連通された第２状態となる。また、図示の位置から弁軸１１を回転操作して球形弁座部材７を１８０度回転させることにより、Ｔ字状の弁孔１０の短通路１０ａから長通路の一端１０ｃを通してバイパス通路８と出口通路９が連通され、弁室３と出口通路９が遮断された第３状態となる。
【００１２】
上記のフロート式スチームトラップの動作は次の通りである。通常は図示の第１状態に球形弁座部材７を回転させて使用する。入口４から流入した復水の一部はバイパス通路８内へ流下し、残余の復水は弁室３内へ流下する。バイパス通路８内へ流下した復水は、球形弁座部材７によって出口５側へ流下することはなく、バイパス通路８内を満たした復水は弁室３内へ溢流する。弁室３内に溜まった復水の液面に応じてフロート１２が浮上降下して球形弁座部材７に離着座して弁孔１０の一端１０ａを開閉する。弁孔１０の一端１０ａが開けられると弁室３内の復水が弁孔１０の一端１０ａから他端１０ｂ、出口通路９を通して出口７に排出され、弁孔１０の一端１０ａが閉じられると弁室３内の蒸気の漏出が防止される。
【００１３】
Ｔ字状の弁孔１０の短通路１０ａの内面に付着した異物を洗浄する場合は、図示の第１状態から弁軸１１を回転操作して球形弁座部材７を９０度時計回り方向へ回転させることにより、長通路の他端１０ｂから短通路１０ａを通してバイパス通路８と出口通路９を連通し、長通路の一端１０ｃから短通路１０ａを通して弁室３と出口通路９を連通した第２状態とする。これにより、入口４側の高圧蒸気が高速でバイパス通路８を通して長通路の他端１０ｂから短通路１０ａを流下して短通路１０ａを逆洗するので、Ｔ字状の弁孔１０の短通路１０ａの内面に付着した異物を簡単に確実に洗浄できる。また、フロート１２が弁孔１０の一端１０ａを開けることができなくなった場合は、図示の第１状態から弁軸１１を回転操作して球形弁座部材７を１８０度回転させることにより、短通路１０ａから長通路の一端１０ｃを通してバイパス通路８と出口通路９を連通し、弁室３と出口通路９を遮断した第３状態とする。これにより、入口４の復水をバイパス通路８、短通路１０ａ、適宜径のオリフィスに形成したオリフィス通路である長通路の一端１０ｃ、を通して出口通路９から出口５へ排出し、復水を排出し蒸気を漏出することのないスチームトラップ機能を維持できる。
【産業上の利用可能性】
【００１４】
本発明は、上記のフリーフロート式スチームトラップに限らずレバーフロート式スチームトラップにも利用することができる。
【符号の説明】
【００１５】
１ 本体
２ 蓋
３ 弁室
４ 入口
５ 出口
７ 球形弁座部材
８ バイパス通路
９ 出口通路
１０ Ｔ字状の弁孔
１０ａ Ｔ字状の弁孔の短通路
１０ｂ Ｔ字状の弁孔の長通路の他端
１０ｃ Ｔ字状の弁孔の長通路の一端
１１ 弁軸
１２ フロート
１３ フロート座
【図１】
0005431253.tif 000002